【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】
一端側から、他端側に入射した発光部からの光を出射させて基板上の受光センサに導くライトガイドと、前記受光センサを遮光するように前記基板に取り付けられ、前記ライトガイドの一端部側を長さ方向の複数箇所で固定するライトガイド保持体とを有し、前記ライトガイド保持体は、前記ライトガイドの一端部を前記受光センサのセンサ軸に合わせて固定する第１固定部と、前記第１固定部に対して前記センサ軸方向に離隔した位置で前記ライトガイドの一部を固定する第２固定部とを少なくとも有することを特徴とする受光装置。
【請求項２】
前記ライトガイド保持体は、前記ライトガイドのうち、前記第１固定部及び前記第２固定部によって固定される部分とは異なる部分を固定する第３固定部を有し、前記第３固定部を前記ライトガイドの前記第２固定部からの引き出し方向に応じて設けたことを特徴とする請求項１に記載の受光装置。
【請求項３】
前記ライトガイド保持体の前記第２固定部は、前記受光センサのセンサ軸方向に延び、この先端部で前記ライトガイドを固定することを特徴とする請求項１または２に記載の受光装置。
【請求項４】
前記ライトガイド保持体の前記第２固定部は、前記先端部において、前記ライトガイドと当接して、前記第１固定部側を向く傾斜面を有することを特徴とする請求項３に記載の受光装置。
【請求項５】
前記ライトガイド保持体は、前記第１固定部と前記第２固定部との間で前記ライトガイドを湾曲させた状態で保持していることを特徴とする請求項４に記載の受光装置。
【請求項６】
前記ライトガイドは光ファイバであることを特徴とする請求項１乃至５のいずれか一つに記載の受光装置。
【請求項７】
請求項１乃至６のいずれか一つに記載の受光装置を有し、前記発光部を閃光放電管とし、前記閃光放電管の発光量を前記受光センサにより検出することを特徴とするストロボ装置。
【手続補正２】
【補正対象書類名】明細書
【補正対象項目名】００１１
【補正方法】変更
【補正の内容】
【００１１】
【課題を解決するための手段】
第１の発明は、一端側から、他端側に入射した発光部からの光を出射させて基板上の受光センサに導くライトガイドと、前記受光センサを遮光するように前記基板に取り付けられ、前記ライトガイドの一端部側を長さ方向の複数箇所で固定するライトガイド保持体とを有し、前記ライトガイド保持体は、前記ライトガイドの一端部を前記受光センサのセンサ軸に合わせて固定する第１固定部と、前記第１固定部に対して前記センサ軸方向に離隔した位置で前記ライトガイドの一部を固定する第２固定部とを少なくとも有することを特徴とする受光装置とするものである。
【手続補正３】
【補正対象書類名】明細書
【補正対象項目名】００１２
【補正方法】変更
【補正の内容】
【００１２】
第２の発明は、上記第１の発明で、前記ライトガイド保持体は、前記ライトガイドのうち、前記第１固定部及び前記第２固定部によって固定される部分とは異なる部分を固定する第３固定部を有し、前記第３固定部を前記ライトガイドの前記第２固定部からの引き出し方向に応じて設けたことを特徴とする。
【手続補正４】
【補正対象書類名】明細書
【補正対象項目名】００１３
【補正方法】変更
【補正の内容】
【００１３】
第３の発明は、上記いずれかの発明で、前記ライトガイド保持体の前記第２固定部は、前記受光センサのセンサ軸方向に延び、この先端部で前記ライトガイドを固定することを特徴とする。
【手続補正５】
【補正対象書類名】明細書
【補正対象項目名】００１４
【補正方法】変更
【補正の内容】
【００１４】
第４の発明は、上記第３の発明で、前記ライトガイド保持体の前記第２固定部は、前記先端部において、前記ライトガイドと当接して、前記第１固定部側を向く傾斜面を有することを特徴とする。
【手続補正６】
【補正対象書類名】明細書
【補正対象項目名】００１５
【補正方法】変更
【補正の内容】
【００１５】
第５の発明は、上記第４の発明で、前記ライトガイド保持体は、前記第１固定部と前記第２固定部との間で前記ライトガイドを湾曲させた状態で保持していることを特徴とする。
【手続補正７】
【補正対象書類名】明細書
【補正対象項目名】００１８
【補正方法】変更
【補正の内容】
【００１８】
このように、ライトガイドとしての光ファイバの一端部側をライトガイド保持体に一端部を含めて２点または３点等の複数箇所で固定し保持するので、光ファイバの一端部への応力の集中を防止することができる。
【手続補正８】
【補正対象書類名】明細書
【補正対象項目名】００２１
【補正方法】変更
【補正の内容】
【００２１】
ライトガイド保持体としての連結保持部材６は、樹脂材による一体成形で、本体枠７と、固定部９と、第１固着保持部（第１固定部）８と、第２固着保持部（第２固定部）１０と、第３固着保持部（第３固定部）１１とが形成され、本体枠７がセンサチップ３の全体を覆うように嵌合することにより、受光センサ２はこの本体枠７にて覆われ、外部から遮光される。
【手続補正９】
【補正対象書類名】明細書
【補正対象項目名】００２３
【補正方法】変更
【補正の内容】
【００２３】
また、連結保持部材６の固定部９にはネジ挿通穴部１２が形成されていて、プリント基板４に設けられたネジ穴５にネジ挿通穴部１２を通したネジ１３をねじ込むことにより、固定部９がプリント基板４に固定され、これにより本体枠７を含む連結保持部材６がプリント基板４に固定される。
【手続補正１０】
【補正対象書類名】明細書
【補正対象項目名】００２４
【補正方法】変更
【補正の内容】
【００２４】
また、本体枠７の一側辺には、プリント基板４との固定構成を形成する固定部９が形成されると共に、第１固着保持部８（装着孔８Ｂ）と隣り合う位置に柱状の第２固着保持部１０が立設されている。
【手続補正１１】
【補正対象書類名】明細書
【補正対象項目名】００２５
【補正方法】変更
【補正の内容】
【００２５】
第２固着保持部１０のうち、装着孔８Ｂ側の面の上部には、第２固着保持部１０の長手方向に対して傾斜した溝部としての先端保持部１０Ａが形成され、光ファイバ１の先端部１Ａ近傍の第１被係止部分１Ｂがこの先端保持部１０Ａの傾斜に沿って接着剤１４により接着固定され、この傾斜によって光ファイバ１の先端部分が若干湾曲した状態で保持されることになる。
【手続補正１２】
【補正対象書類名】明細書
【補正対象項目名】００２６
【補正方法】変更
【補正の内容】
【００２６】
さらに、本体枠７には、第２固着保持部１０を挟んで装着孔８Ｂと反対方向に水平に（プリント基板４の表面に沿って）延びる第３固着保持部１１が設けられている。
【手続補正１３】
【補正対象書類名】明細書
【補正対象項目名】００２７
【補正方法】変更
【補正の内容】
【００２７】
この第３固着保持部１１は、略Ｌ字形状を呈して本体枠７から一体的にその長辺部１１Ａが第２固着保持部１０と直交する方向に突出して設けられており、長辺部１１Ａの先端部の上部に、長辺部１１Ａが延びる面内で長辺部１１Ａと直交するように短辺部１１Ｂが水平方向に突設されており、この短辺部１１Ｂは、装着孔８Ｂと第２固着保持部１０とを結ぶ略直線上に位置している。
【手続補正１４】
【補正対象書類名】明細書
【補正対象項目名】００２８
【補正方法】変更
【補正の内容】
【００２８】
そして、第２固着保持部１０から光ファイバ１を第３固着保持部１１の短辺部１１Ｂに向けて引き回し、該短辺部１１Ｂの下部１１ＢＡに当接させて接着剤１４により接着固定させる。その際、光ファイバ１は、先端部１Ａから見て第１被係止部分１Ｂより遠方の第２被係止部分１Ｃが第１固着保持部８と略同じ水平レベルで短辺部１１Ｂに固着保持されるので、図２に示すように、第２固着保持部１０と第３固着保持部１１との間において緩やかな曲線を描いて保持される。
【手続補正１５】
【補正対象書類名】明細書
【補正対象項目名】００２９
【補正方法】変更
【補正の内容】
【００２９】
本実施の形態における受光装置は上述したように構成されることから、まず光ファイバ１の先端部１Ａ、第１被係止部分１Ｂおよび第２被係止部分１Ｃの３点を連結保持部材６の第１、第２、第３固着保持部８，１０，１１に固着してユニット化し、その後、光ファイバ１が固着されているユニット化された連結保持部材６をプリント基板４にその固定部９を介して固着することにより、図２に示したように、光ファイバ１の先端部１Ａが受光センサ２の受光面に対して直交した状態で取り付けられることになる。
【手続補正１６】
【補正対象書類名】明細書
【補正対象項目名】００３２
【補正方法】変更
【補正の内容】
【００３２】
なお、連結保持部材６における第１、第２固着保持部８，１０の受光センサ２に対する絶対位置を、予定している光ファイバ１の屈曲状態を考慮して設定することにより、具体的には第１、第２固着保持部８，１０の形成方向や形成長等を光ファイバ１の所望屈曲状態を考慮して適宜設定することにより、所望の屈曲状態を光ファイバ１の先端部１Ａに対する応力集中を生じることなく得られることになる。
【手続補正１７】
【補正対象書類名】明細書
【補正対象項目名】００３４
【補正方法】変更
【補正の内容】
【００３４】
図３において、本体外部モールドＡ内に反射傘受本体モールドＢが配置され、この反射傘受本体モールドＢに反射傘Ｄが配置され、反射傘Ｄの前面に光学パネルＥが配置され、さらに反射傘Ｄの奥に閃光放電管Ｃが配置されている。光ファイバ１の光入射端１xは、反射傘Ｄの前方で本体外部モールドＡ及び反射傘Ｄの間に光学パネルＥと対向するように配置され、接着部Ｂxにより接着固定されている。
【手続補正１８】
【補正対象書類名】明細書
【補正対象項目名】００３５
【補正方法】変更
【補正の内容】
【００３５】
閃光放電管Ｃが発光すると、光学パネルＥには、閃光放電管Ｃからの直接光と反射傘Ｄにて反射された光が入射し、その一部は、光学パネルＥ内を進んで光ファイバ１の光入射端１xに到達して受光センサ２に導かれる。
【手続補正１９】
【補正対象書類名】明細書
【補正対象項目名】符号の説明
【補正方法】変更
【補正の内容】
【符号の説明】
１ 光ファイバ
２ 受光センサ
３ センサチップ
４ プリント基板
５ ネジ穴
６ 連結保持部材
７ 本体枠
８ 第１固着保持部
９ 固定部
１０ 第２固着保持部
１１ 第３固着保持部
１２ ネジ挿通穴部
１３ ネジ